(57)【要約】      （修正有）【課題】回転可能なＵＳＢコンセントの構造を設けることによりＵＳＢ差し込み口の使用範囲を広げることができる、部分的に回転可能な電源コンセントを提供する。【解決手段】一面に差し込み口が設けられると共に他面にプラグが設けられており、少なくとも一つの回転軸部材を具える本体と、該回転軸部材によって該本体と枢設され、該本体における垂直方向であるＸ軸を軸心として任意の角度で水平回転する回転体と、該回転体における水平方向であるＹ軸心に設けられ、該回転体に連動して回転する、電子機器に電源を供給するための少なくとも一つのＵＳＢ差し込み口とを備えている。【選択図】図５
2014075349.tif 000002
【特許請求の範囲】
【請求項１】
一面に差し込み口が設けられると共に他面にプラグが設けられており、少なくとも一つの回転軸部材を具える本体と、
該回転軸部材によって該本体と枢設され、該本体における垂直方向であるＸ軸を軸心として任意の角度で水平回転する回転体と、
該回転体における水平方向であるＹ軸心に設けられ、該回転体に連動して回転する、電子機器に電源を供給するための少なくとも一つのＵＳＢ差し込み口とを備えていることを特徴とする、部分的に回転可能な電源コンセント。
【請求項２】
該本体は、
第一ケースと、
該第一ケースと組み合わされて該本体を形成する第二ケースと、
を更に含むことを特徴とする、請求項１に記載の部分的に回転可能な電源コンセント。
【請求項３】
該本体は収容部を更に含み、
該本体の該収容部内部には該回転軸部材が架設され、該回転体は該収容部内で該回転軸部材を軸心にして回転し、該ＵＳＢ差し込み口は該回転軸部材の複数の回転軸点によって該差し込み口と電気的に接続され、該差し込み口は三つ穴コンセント或いは二つ穴コンセント、もしくはその組み合わせであることを特徴とする、請求項１に記載の部分的に回転可能な電源コンセント。
【請求項４】
該回転軸部材の形状は棒状、リング状或いは円盤状であることを特徴とする、請求項１に記載の部分的に回転可能な電源ンセント。
【発明の詳細な説明】
【技術分野】
【０００１】
本発明は電源コンセントに関し、特に部分的に回転可能な電源コンセントに関する。
【背景技術】
【０００２】
現在、最もよく見られる携帯式電子製品の電源供給方法はＵＳＢコネクタを利用する方法であり、ＵＳＢプラグを電子機器のＵＳＢコンセントに差し込んで電源の供給を行う。
【０００３】
しかしながら、上述のように携帯式電子製品をＵＳＢで接続して充電する方法においては、携帯式電子製品は電源を供給する電子機器に接続する必要があり、その電源を供給する電子機器上にはＵＳＢコンセントが必要になる。旧式の電子機器はＵＳＢコンセントが具えられてないため、上述のような充電方法だと、メーカーがＵＳＢ接続に対応させるために新たに製品を設計しなおさなければならないという負担を生じさせる。
【０００４】
従来のＵＳＢコンセントの多くは電子製品の周縁上に固定して設けられているため、携帯式電子製品のＵＳＢプラグをこの種の固定式ＵＳＢコンセントに差し込むと、携帯式電子製品の移動範囲はＵＳＢコネクタを接続した方向による制限を受けることになり、移動させる際の利便性が下がる。
【発明の概要】
【発明が解決しようとする課題】
【０００５】
そこで、本発明は、回転可能なＵＳＢコンセントの構造を設けることによりＵＳＢ接続が可能な各種電子製品に直接電源供給を行うことができるとともに、従来の固定式ＵＳＢコンセントがＵＳＢ接続の方向の制限を受けるという問題を解決し、しかも構造が簡易なため製作コストも下げることができる部分的に回転可能な電源コンセントを提供することを目的とする。
【課題を解決するための手段】
【０００６】
本発明による部分的に回転可能な電源コンセントは、一面に差し込み口が設けられると共に他面にプラグが設けられており、少なくとも一つの回転軸部材を具える本体と、該回転軸部材によって該本体と枢設され、該本体における垂直方向であるＸ軸を軸心として任意の角度で水平回転する回転体と、該回転体における水平方向であるＹ軸心に設けられ、該回転体に連動して回転する、電子機器に電源を供給するための少なくとも一つのＵＳＢ差し込み口とを備えている。
【発明の効果】
【０００７】
本発明による部分的に回転可能な電源コンセントは、簡易な構造のため製作コストが低く、間接的な電子製品を介在することなくＵＳＢコネクタを通じて直接電子製品に電源を供給することができるため利便性と効率性が高い。しかも、本発明の電源コンセントの回転体により、使用環境に応じてＵＳＢ差し込み口の方向を変えることができるため使用範囲が広がる効果がある。
【図面の簡単な説明】
【０００８】
【図１】本発明の実施例１の外観を示した斜視図である。
【図２】本発明の実施例２の外観を示した斜視図である。
【図３】本発明の実施例３の外観を示した斜視図である。
【図４】本発明の実施例４の外観を示した斜視図である。
【図５】本発明の実施例５の外観を示した斜視図である。
【図６】本発明の実施例５を使用した状態を示した説明図である。
【発明を実施するための形態】
【実施例１】
【０００９】
図１は本発明の実施例１の外観を示した斜視図である。図１に示すように、本発明の部分的に回転可能な電源コンセント１ａは、本体１０ａ、少なくとも一組の差し込み口１８ａ、回転体１２ａ、及び少なくとも一つのＵＳＢ差し込み口１６ａを備え、本体１０ａは、第一ケース１０１、第二ケース１０３、及び回転軸部材１０５ａを含む。また、部分的に回転可能な電源コンセント１ａは、収容部１４ａ、電源スイッチ２２ａ、及びインジケーターランプ２４ａを更に含む。
【００１０】
本体１０ａは、第一ケース１０１と第二ケース１０３を組み合わせてなる中空状のコンセント本体である。少なくとも一組の差し込み口１８ａは本体１０ａ上に設けられ、電子製品を差し込み口１８ａに電気的に接続することで交流電源を得ることができる。本実施例においては、本体１０ａの周縁に少なくとも一つの回転軸部材１０５ａを設け、回転体１２ａは回転軸部材１０５ａと組み合わせることで本体１０ａに枢設される。これにより、回転体１２ａは回転軸部材１０５ａを軸心にして水平に回転することができる。その回転角度は、本体１０ａの構造によって決定される。本実施例では、本体１０ａの周縁に設けられた収容部１４ａ内部に回転軸部材１０５ａを取り付けることで、回転体１２ａは約１８０度回転させることができる。また、回転体１２ａ上には少なくとも一つのＵＳＢ差し込み口１６ａが設けられ、回転体１２ａが回転することによりＵＳＢ差し込み口１６ａの向く方向も変化する。なお、差し込み口１８ａは、二つ穴コンセント、三つ穴コンセント、或いはそれらの組み合わせにすることができる。ここでは、２２０Ｖ規格の三つ穴コンセント（このコンセントが使用可能な地域は、香港、中国等である）を例にして説明しているが、差し込み口の規格の種類はこれに限定されない。
【００１１】
その他、本実施例は電源スイッチ２２ａを設けることができ、使用者は電源スイッチ２２ａを押すことで電源の供給を制御することができる。また、インジケーターランプ２４ａによって、ＵＳＢ差し込み口１６ａの作動状態を使用者に知らせることができる。例えば、インジケーターランプ２４ａが点灯している時は、ＵＳＢ差し込み口１６ａが正常に作動していることを表し、ＵＳＢ差し込み口１６ａに電気的に接続されている携帯式電子製品に電源を供給する。反対に、インジケーターランプ２４ａが点灯していない時は、ＵＳＢ差し込み口１６ａの作動が停止しているか、異常作動が発生していることを表し、ＵＳＢ差し込み口１６ａに電気的に接続されている携帯式電子製品に電源の供給を行わない。
【実施例２】
【００１２】
図２を参照する。図２は本発明の実施例２の外観を示した斜視図である。図２に示すように、本実施例の部分的に回転可能な電源コンセント１ｂにおける各部材の接続関係は図１と同様であり、唯一構造が異なる箇所は本体１０ｂ上における回転軸部材１０５ｂ、回転体１２ｂ及び収容部１４ｂの構造である。回転軸部材１０５ｂは本体１０ｂの周縁に設けられ、収容部１４ｂは、回転体１２ｂの大きさ及び様式に応じてその大きさや様式が変化する。本実施例では、回転体１２ｂは回転軸部材１０５ｂを軸心にして収容部１４ｂ内で縦方向に約９０度回転させることができ、それに連動して回転体１２ｂ上に設けられたＵＳＢ差し込み口１６ｂも同じ方向に約９０度回転する。なお、本実施例で説明した回転軸部材１０５ｂの設置位置は一つの具体例にすぎず、これに限定されるものではない。また、ＵＳＢ差し込み口１６ｂは、二つの回転軸点１０５０ｂにより接触導通し、電源と電気的に接続されて電源を供給することができる（図示せず）。差し込み口１８ｂの規格は、ここでは二つ穴コンセントを例に挙げて説明しているが、これに限定されない。
【実施例３】
【００１３】
図３を参照する。図３は本発明の実施例３の外観を示した斜視図である。本実施例の部分的に回転可能な電源コンセント１ｃにおける各部材の接続関係は図１と同様であり、唯一構造が異なる箇所は本体１０ｃ上における回転軸部材１０５ｃ、及び回転体１２ｃの構造である。本実施例では、回転軸部材１０５ｃは本体１０ｃの前端に設けることができるがこれに限定されず、例えば後端や中間に設けることができる。図３に示すように、本体１０ｃに回転軸部材１０５ｃを突設し、回転体１２ｃを回転軸部材１０５ｃに接続することで、回転体１２ｃは本体１０ｃの外部で回転軸部材１０５ｃを軸心にして回転することができる。従って、本実施例の回転体１２ｃは本体１０ｃ自体の構造による回転スペースの制限を受けない。言い換えると、回転体１２ｃは回転軸部材１０５ｃを軸心として任意の角度（即ち３６０度）に回転させることができ、それに連動して回転体１２ｃ上に設けられたＵＳＢ差し込み口１６ｃも同じ方向に任意の角度に回転する。また、ＵＳＢ差し込み口１６ｃは、回転軸点１０５０ｃにより接触導通し、電源と電気的に接続されて電源を供給することができる。なお、回転軸部材１０５ｃの設置位置は本実施例で示したような本体１０ｃの両端に突設する以外に、本体１０ｃの中間位置に設けることもできる。図３で示したＵＳＢ差し込み口１６ｃの数量は実施例でありこれに限定されず、ＵＳＢ差し込み口１６ｃの配置方法は並列配列や直列配列にすることができる。差し込み口１８ｃの規格は、ここでは三つ穴コンセントを例に挙げて説明しているが、これに限定されない。
【実施例４】
【００１４】
図４を参照する。図４は本発明の実施例４の外観を示した斜視図である。図４に示すように、本実施例の部分的に回転可能な電源コンセント１ｄにおける各部材の接続関係は図１と同様であり、唯一構造が異なる箇所は本体１０ｄ上における回転軸部材１０５ｄ、及び回転体１２ｄの構造である。本実施例においては、部分的に回転可能な電源コンセント１ｄの本体１０ｄの一面上に差し込み口１８ｄを設ける。また、回転体１２ｄを本体１０ｄに接続することで、回転体１２ｄに設けられたＵＳＢ差し込み口１６ｄは、回転体１２ｄと連動して本体１０ｄ外部で任意の角度に回転することができる。なお、様々な設計需要に応じて、回転体１２ｄと本体１０ｄは嵌合して一体化させることもできる。また、回転軸部材１０５ｄの一方をプラグ２０ｄに導通接続し、その他方を本体１０ｄの他面に枢設することで、プラグ２０ｄは回転軸部材１０５ｄを利用して回転体１２ｄ内で、本体１０ｄを軸心にして任意の角度（即ち３６０度）に、単独で回転することができる。このように、プラグ２０ｄは単独で作動するため、回転体１２ｄ上に設けられたＵＳＢ差し込み口１６ｄと本体１０ｄ上に設けられた差し込み口１８ｄの回転動作に影響を受けない。本体１０ｄの軸心の方向は回転軸部材１０５ｄの中心軸の方向と一致する。なお、本実施例の回転体１２ｄは、本体１０ｄ自体の構造による回転スペースの制限を受けない。インジケーターランプは、発光ダイオードのインジケーターランプ２４１ｄであり、発光ダイオードのインジケーターランプの点灯は電源供給状態を示し、非点灯時は電源を供給していない状態を示す。
【実施例５】
【００１５】
図５を参照する。図５は本発明の実施例５の外観を示した斜視図である。本実施例の部分的に回転可能な電源コンセント１ｅにおける各部材の接続関係は図１と同様であり、唯一構造が異なる箇所は本体１０ｅ上における回転体１２ｅの構造である。本実施例においては、部分的に回転可能な電源コンセント１ｅの本体１０ｅの一面上に差し込み口１８ｅを設け、その他面にプラグ２０ｅを設ける。プラグ２０ｅは、二つの導電端子或いは三つの導電端子を具えている。回転軸部材（図示せず）は、本体１０ｅと回転体１２ｅの間に設けられ、回転体１２ｅは、本体１０ｅ外部を囲繞するように、本体１０ｅを軸心にして任意の角度（即ち３６０度）に回転させることができ、回転体１２ｅに設けられたＵＳＢ差し込み口１６ｅも回転体１２ｅと連動して本体１０ｅ外部を任意の角度に回転する。本実施例の回転体１２ｅは、本体１０ｅ自体の構造による回転スペースの制限を受けない。発光ダイオードのインジケーターランプ２４１ｅの点灯は電源供給状態を示し、非点灯時は電源を供給していない状態を示す。
【００１６】
図５に併せて、図６を参照する。図６は、本発明の実施例５を使用した状態を示した説明図である。ＵＳＢ差し込み口１６ｅにＵＳＢプラグを差し込んだ後、回転体１２ｅを回転させ、ＵＳＢ差し込み口１６ｅの方向を変えることができる。
【００１７】
上述したように、本発明による部分的に回転可能な電源コンセントは、様々な需要に応じてＵＳＢコンセントの方向を変えることができるため、固定式ＵＳＢコンセントのようにＵＳＢの接続方向の制限を受けることがなく、利便性が高い。また、ＵＳＢコンセントを設けた構造により、ＵＳＢ接続が可能な各種の電子製品に直接電源を供給することができ、しかも簡易な構造のため製作コストも低い。なお、部分的に回転可能な電源コンセントの回転軸部材は各種の形状、例えば、棒状、リング状、或いは円盤状等にすることができる。
【００１８】
以上、本発明の実施形態について図面を参照して詳述したが、具体的な構成はこの実施形態に限られるものではなく、本発明の要旨を逸脱しない範囲の設計変更等も含まれる。
【符号の説明】
【００１９】
１ａ、１ｂ、１ｃ、１ｄ、１ｅ    部分的に回転可能な電源コンセント
１０ａ、１０ｂ、１０ｃ、１０ｄ、１０ｅ    本体
１０１    第一ケース
１０３    第二ケース
１０５ａ、１０５ｂ、１０５ｃ、１０５ｄ    回転軸部材
１０５０ｂ、１０５０ｃ    回転軸点
１２ａ、１２ｂ、１２ｃ、１２ｄ、１２ｅ    回転体
１４ａ、１４ｂ    収容部
１６ａ、１６ｂ、１６ｃ、１６ｄ、１６ｅ    ＵＳＢ差し込み口
１８ａ、１８ｂ、１８ｃ、１８ｄ、１８ｅ    差し込み口
２０ｄ、２０ｅ    プラグ
２２ａ    電源スイッチ
２４ａ    インジケーターランプ
２４１ｄ、２４１ｅ    発光ダイオードのインジケーターランプ
【図１】
2014075349.tif 000003
【図２】
2014075349.tif 000004
【図３】
2014075349.tif 000005
【図４】
2014075349.tif 000006
【図５】
2014075349.tif 000007
【図６】
2014075349.tif 000008